(57)【特許請求の範囲】
【請求項１】
複数のコンピュータが接続されたＬＡＮに接続され、パケットヘッダーに送信元ＩＰアドレス及び送信先ＩＰアドレスを含ませて該複数のコンピュータのいずれかへ選択的に通話用音声データを送信する訪問者用ＩＰインターホンであって、
ＣＰＵと、
該ＣＰＵに結合され、該音声通話のためのインターホンプログラムと、該複数のコンピュータの各々について固定ＩＰアドレスと名前とが対応して記述された第１情報と、識別コードと許可される通話相手を示す呼出許可情報とが対応して記述された第２情報とが格納される記憶装置と、
該ＣＰＵに結合された入力装置と、
該ＣＰＵに結合された表示装置と、
該ＣＰＵに結合された、インターホン通話のためのマイク及び電気信号を機械的振動に変えて音波を出す変換器と、
を有し、該インターホンプログラムは該ＣＰＵに対し、
該入力装置を介して入力された識別コードに応答して、該識別コードと同一のものが該第２情報に存在するかどうかを判定させ、
存在すると判定した場合には、該識別コードに対応する呼出許可情報に基づいて、許可される通話相手の名前を該第１情報から抽出させ、該抽出された名前を該表示装置に表示させ、
該表示された名前のうち該入力装置を介して選択された名前に対応する固定ＩＰアドレスを該送信先アドレスと決定させる、
ことを特徴とする訪問者用ＩＰインターホン。
【請求項２】
該インターホンプログラムは、該ＣＰＵに対し、
該入力装置を介しメモ録モードが指定されたことに応答して、該記憶装置に、該選択されたインターホン通話相手の名前のデータを、該マイクを介し入力された音声データとともに格納させる、
ことを特徴とする請求項１記載の訪問者用ＩＰインターホン。
【請求項３】
該ＣＰＵに接続された防犯センサーをさらに有し、
該記憶装置にはさらに、異常メール送信先の電子メールアドレスと、異常メール送信プログラムとが格納されており、該異常メール送信プログラムは該ＣＰＵに対し、
該防犯センサーが異常を検出したことに応答して、該電子メールアドレスに異常検出メールを送信させる、
ことを特徴とする請求項１又は２記載の訪問者用ＩＰインターホン。
【請求項４】
複数のコンピュータと請求項１乃至３のいずれか１つに記載の訪問者用ＩＰインターホンとがＬＡＮに接続されていることを特徴とするコンピュータネットワークシステム。
【請求項５】
複数のコンピュータが接続されたＬＡＮに接続され、パケットヘッダーに送信元ＩＰアドレス及び送信先ＩＰアドレスを含ませて該複数のコンピュータのいずれかへ選択的に通話用音声データを送信する訪問者用ＩＰインターホンであって、
ＣＰＵと、
該ＣＰＵに結合され、該音声通話のためのインターホンプログラムと、該複数のコンピュータの各々について固定ＩＰアドレスと名前とが対応して記述された第１情報と、識別コードと許可される通話相手を示す呼出許可情報とが対応して記述された第２情報とが格納される記憶装置と、
該ＣＰＵに結合された入力装置と、
該ＣＰＵに結合された表示装置と、
該ＣＰＵに結合された、インターホン通話のためのマイク及び電気信号を機械的振動に変えて音波を出す変換器と、
を有し、該インターホンプログラムは該ＣＰＵに対し、
該入力装置を介して入力された識別コードに応答して、該識別コードと同一のものが該第２情報に存在するかどうかを判定させ、
存在すると判定した場合には、該識別コードに対応する呼出許可情報に基づいて、許可される通話相手の名前を該第１情報から抽出させ、該抽出された名前を該表示装置に表示させ、
該表示された名前のうち該入力装置を介して選択された名前に対応する固定ＩＰアドレスを該送信先アドレスと決定させる、
ことを特徴とする訪問者用ＩＰインターホン。
【請求項６】
ＬＡＮに接続され、各々が被訪問者用ＩＰインターホンを構成する複数の被訪問者用コンピュータと、
該ＬＡＮに接続され、訪問者用ＩＰインターホンを構成する訪問者用コンピュータと、
該ＬＡＮに接続され、ＩＰインターホンサーバーを構成するサーバーコンピュータと、
を有し、パケットヘッダーに送信元ＩＰアドレス及び送信先ＩＰアドレスを含ませて該訪問者用コンピュータから該複数の被訪問者用コンピュータのいずれかへ選択的に通話用音声データを送信するコンピュータネットワークシステムであって、該サーバーコンピュータは、
ＣＰＵと、
該ＣＰＵに結合され、サーバープログラムと、該複数の被訪問者用コンピュータの各々について固定ＩＰアドレスと名前とが対応して記述された第１情報と、識別コードと許可される通話相手を示す呼出許可情報とが対応して記述された第２情報とが格納される記憶装置と、
を有し、該サーバープログラムは該ＣＰＵに対し、
該訪問者用コンピュータから供給される識別コードに応答して、該識別コードと同一のものが該第２情報に存在するかどうかを判定させ、
存在すると判定した場合には、該識別コードに対応する呼出許可情報に基づいて、許可される通話相手の名前を該第１情報から抽出させ、該抽出された名前を該訪問者用コンピュータに供給させる、
ことを特徴とするコンピュータネットワークシステム。
【発明の詳細な説明】
【技術分野】
【０００１】
本発明は、インターホンシステム提供方法及びインターホン機能を備えたコンピュータネットワークシステムに関する。
【背景技術】
【０００２】
企業においては、簡単な設備の追加による訪問者受付業務の効率化が要求されている。
【０００３】
図１１は、ＬＡＮを備えた小規模企業における従来の訪問者受付業務説明図である。
【０００４】
室１０内には、総務部１１、経理部１２及び技術部１３が組織されており、それぞれにパーソナルコンピュータ１４〜１６、１７〜１９、及び２０〜２２が配置されている。これらパーソナルコンピュータ１４〜２２は、ＬＡＮケーブル及びハブ２３〜２５により、ネットワーク接続されている。このＬＡＮは、ハブ２５に接続されたルータ２６を介して、インターネットに接続される。
【０００５】
室１０の、ドア２７の開き側の外壁には、インターホン２８が取り付けられ、これは総務部１１の受付係の所に設置されたインターホン２９に接続されている。
【０００６】
しかし、受付係は訪問者毎にその面談相手に連絡しなければならない。
【０００７】
この問題を解決するために、各社員のところにインターホンを取り付け、これらをインターホン２８と接続しようとすると、多数のインターホンを追加するとともに新たに配線を引き回す必要があるのでコスト高となり、特に小規模企業において設備の追加を断念することになる。
【０００８】
また、訪問者が任意の社員とインターホンで通話できるようにすると、次のような問題が生ずる。すなわち、社員の席が変更になったことを知らずに記憶していた内線番号を使用した場合、訪問者も相手方も時間を浪費することになる。さらに、各社員は無関係な売り込みにも対応しなければならず、仕事の妨げとなる。
【発明の開示】
【発明が解決しようとする課題】
【０００９】
本発明が解決しようとする問題点は、訪問者が任意の相手と直接インターホンで通話できるようにすると、受付係の仕事量を軽減できるものの、設備の追加が大がかりになるとともに、相手の内線番号変更などにより混乱が生じ、さらに、各人が無用な件についても対応しなければならなくなるという点である。
【課題を解決するための手段】
【００１０】
本発明の第１態様では、複数のコンピュータがＬＡＮに接続されたシステムにおいて、
該ＬＡＮに有線又は無線でネットワーク接続された訪問者用コンピュータ（ワンチップマイクロコンピュータを含む）を有し、該複数のコンピュータの少なくとも２つ及び該訪問者用コンピュータのそれぞれにはマイク及びスピーカが接続されており、
該複数のコンピュータの該少なくとも２つ及び該訪問者用コンピュータのそれぞれの記憶装置には、マイクからのアナログ音声信号をデジタル化しデータ圧縮しパッケ化し該ＬＡＮを介して送信するとともに受信したパケットをアンパケット化しアナログ音声信号化しスピーカへ出力させるインターホンプログラムが格納されている。
【００１１】
本発明によるコンピュータネットワークシステムの第２態様では、第１態様において、該複数のコンピュータのいずれか１つの記憶装置又は該訪問者用コンピュータの記憶装置には、該インターホンプログラムが格納されている記憶装置を備えたコンピュータの固定ＩＰアドレス（プライベートＩＰアドレス又は固定グローバルＩＰアドレス）と名前（名前を識別するコードであってもよい。この場合、例えばコードと名前のフィールドを有するテーブルにより名前を対応付けられる。）とが対応して記述されたＩＰアドレス情報が例えばテーブル又はリスト構造の形で格納されており、
該訪問者用コンピュータの記憶装置に格納されたインターホンプログラムは、インターホン通話開始前に該ＩＰアドレス情報に記載されている名前の一部又は全部を、このインターホンプログラムが格納されているコンピュータの表示装置に表示させることにより、インターホン通話相手の名前の選択を促し、選択された名前に対応した固定ＩＰアドレスをパケット送信先アドレスと決定する。
【００１２】
本発明によるコンピュータネットワークシステムの第３態様では、第２態様において、該複数のコンピュータのいずれか１つの記憶装置又は該訪問者用コンピュータの記憶装置には、少なくとも訪問予定者識別コードと呼出許可情報とが対応して記述された訪問予定者別呼出許可情報が格納されており、
該訪問者用コンピュータの記憶装置に格納されたインターホンプログラムは、入力された訪問予定者識別コードと一致する訪問予定者識別コードが該訪問予定者別呼出許可情報に存在すれば、該呼出許可情報に基づいて、該ＩＰアドレス情報から呼出が許可される名前を抽出して、このインターホンプログラムが格納されているコンピュータの表示装置に表示させることにより、インターホン通話相手の名前の選択を促す。
【００１３】
本発明によるコンピュータネットワークシステムの第４態様では、上記いずれかの態様において、該インターホンプログラムは、メモ録モードの指定に応答して所定の記憶装置に、選択されたインターホン通話相手の名前のデータを格納するとともに音声データをメモ録音する伝言ルーチンを有する。
【００１４】
本発明によるコンピュータネットワークシステムの第５態様では、上記いずれかの態様において、該複数のコンピュータのいずれか１つ又は該訪問者用コンピュータには防犯センサーが接続されており、
該ＬＡＮには、インターネットを介して画像データを送信するサーバーカメラが接続されており、
該防犯センサーが接続されたコンピュータの記憶装置には、該防犯センサーが異常を検出した時に、設定された電子メールアドレスに異常検出メールを送信するプログラムが格納されている。
【発明の効果】
【００１５】
本発明の第１態様の構成によれば、訪問者用コンピュータを用いて構成されたインターホンを既存のＬＡＮに接続するという簡単なハードウエア構成の追加により、任意の一人又は複数人の相手とインターホン通話ができるという利点を有する。
【００１６】
本発明の第２態様の構成によれば、一元管理されるＩＰアドレス情報に基づいて通話相手選択肢を名前で表示することにより、訪問者はメモ等を見て相手の内線番号を確認する必要がなく、さらに、相手の場所が変わっても、訪問者はそれを全く考慮することなく、当該相手と通話することができるという利点がある。
【００１７】
本発明の第３態様の構成によれば、訪問者は、あらかじめ許可された人との間でのみインターホンで通話することができ、これにより、受付係が訪問者と相手との間を中継ぎすることなく、訪問者は相手と直接通話することができるとともに、訪問者毎に許可された人の名前のみ選択肢として表示されるので、訪問者は選択が容易であり、相手は無用なセールスなどによる時間の浪費を防止することができ、しかも、相手の組織構成の秘密が保たれる。
【００１８】
本発明の第４態様の構成によれば、相手が存在しなくても受付係や他の人を介さずに伝言を残すことができる。
【００１９】
本発明の第５態様の構成によれば、異常メール受信に応答してカメラの画像を直ちに見ることができるので、異常を直ちに確認でき、適切に対処することが可能になるという利点がある。しかも、セキュリティ管理システムを安価に構成することができるという利点がある。
【００２０】
本発明の他の目的、構成及び効果は以下の説明から明らかになる。
【実施例１】
【００２１】
図１は、本発明の実施例１における会社内のコンピュータネットワークシステムを示す概略図である。図１１と同一構成要素には、同一符号を付してその説明を省略する。
【００２２】
室１０の外壁には、図１１のインターホン２８に対応してインターホン３０が取り付けられている。インターホン３０は、ＬＡＮケーブル３１を介してハブ２３に接続されることにより、社内のＬＡＮにネットワーク接続されている。インターホン３０と室１０内の任意のコンピュータとの間で遅延時間の短い双方向通話を可能とするため、このネットワークはピアツーピア接続型となっており、インターホンサーバーを介さずに通話が行える。
【００２３】
本実施例１によれば、インターホン３０を、ケーブル３１を介し既存のＬＡＮに接続するという簡単なハードウエア構成の追加により、任意の一人又は複数の社員とインターホン通話ができるという利点を有する。
【００２４】
室１０の外側のドア２７上方には、監視用のＣＣＤカメラ３２が取り付けられている。ドア２７の内面には、ドア２７の鍵の開閉を検出するための鍵開閉検出器３３及びドア２７の振動を検出するための振動センサ３４が取り付けられている。これらＣＣＤカメラ３２、鍵開閉検出器３３及び振動センサ３４の出力信号は、インターホン３０の入力端子に接続されている。
【００２５】
図２は、インターホン３０の概略構成を示すブロック図である。図２では簡単化のために、バスが図示省略されている。
【００２６】
ＣＰＵ３５にはＲＯＭ３７及びＲＡＭ３８が接続され、ＲＯＭ３７にはインターホン用、セキュリティ確保用及びカメラサーバー用のプログラム、トロンなどのＯＳ、並びに固定データが格納され、ＲＡＭ３８はワークエリアとして使用される。ＬＡＮケーブル３１は、ＬＡＮアダプタ３６を介しＣＰＵ３５に接続されている。インターホン３０は、ＬＣＤパネル３９及びこの表面に接合されたタッチパネル４０を備えており、それぞれインタフェース４１及び４２を介してＣＰＵ３５に接続されている。ＣＰＵ３５にはまた、インタフェース４６を介して、インターホン用としても用いられるスピーカ４３及びマイク４４と、インターホンオン／オフスイッチ４５と、外部接続機器であるＣＣＤカメラ３２、鍵開閉検出器３３及び振動センサ３４が接続されている。
【００２７】
このようなインターホン３０は、例えば市販のＰＤＡを用いて構成することができる。
【００２８】
図３は、パーソナルコンピュータ１６の概略構成を示すブロック図である。図２と対応する構成要素には、類似の符号が付されている。
【００２９】
図２と異なる点は、図２のＲＯＭ３７の代わりにハードディスク４９が接続され、図２のＣＣＤカメラ３２〜３４及びインターホンオン／オフスイッチ４５の代わりにキーボード４７及びマウス４８が接続されている点である。ハードディスク４９に格納されている内容を除き、図１中の他のコンピュータについても同様である。
【００３０】
ハードディスク４９には、ＩＰアドレステーブル及び異常電子メールアドレスが格納されている。これらのデータが格納されているパーソナルコンピュータ１６のプライベートＩＰアドレスは、インターホン３０のＲＯＭ３７に書き込まれている。ＩＰアドレステーブルは、図５Ａに示すように、社員名と、社員が属する部及び課の名称と、社員に割り当てられたコンピュータのプライベートＩＰアドレスとを対応させたテーブルであり、一元管理するために、パーソナルコンピュータ１６のハードディスク４９のみに格納されている。同様に異常電子メールアドレスも、ハードディスク４９のみに格納されている。
【００３１】
パーソナルコンピュータ１６及びインターホン３０は、他のコンピュータと異なり、常時オンにされている。
【００３２】
パーソナルコンピュータ１４〜２２及びインターホン３０にはそれぞれインターホンプログラムがインストールされており、電源をオンにしてコンピュータを起動すると、該プログラムが主記憶装置に常駐し、スタンバイ状態になる。
【００３３】
図４は、図２のＲＯＭ３７に格納されたインターホン用プログラムの内容を示す概略フローチャートである。以下、括弧内は図中のステップ識別符号である。
【００３４】
このプログラムの実行は、訪問者がインターホンオン／オフスイッチ４５を押すことにより、ＣＰＵ３５に割り込みがかかって開始される。
【００３５】
（Ｓ１）パーソナルコンピュータ１６からＩＰアドレステーブルを読み出し、ＲＡＭ３８に格納する。これにより、パーソナルコンピュータ１６を操作して修正されたＩＰアドレステーブルは、その後インターホン３０が使用される段階で、インターホン３０に反映される。
【００３６】
（Ｓ２）ＩＰアドレステーブルに基づいて、図５Ｂに示すような画面５０ＡをＬＣＤパネル３９に表示させる。画面５０Ａには、選択ボタン列５１と、その下方の呼出ボタン５２及びメモ録ボタン５３とが表示されている。選択ボタン列５１には、「受付」、「総務部」及び「技術部」の選択肢が含まれている。
【００３７】
この状態で、たとえば「技術部」の選択肢が押圧されると、図５Ｃに示すような画面５０Ｂを表示させる。画面５０Ｂには、選択ボタン列５４と、その下方の呼出ボタン５２、戻りボタン５５及びメモ録ボタン５３とが表示されている。選択ボタン列５４には、技術部の全社員名が含まれている。説明の簡単化のために、部内の課の選択がない場合を示したが、部を選択した後に課を選択させ、課を選択した後に所属社員名を表示させる構成であってもよい。
【００３８】
選択ボタン列５１中の「受付」又は選択ボタン列５４中のいずれかが押圧されると、その選択肢の表示色を変更して、選択済であることを示す。選択されたものが再度押圧されると、表示色を元に戻して選択を取り消されたことを示す。複数人の間で通話が可能であるので、選択ボタン列５４中の２名以上を同時選択することもできる。戻りボタン５５を押圧すると、１つ前の画面に戻る。
【００３９】
このように、一元管理されたＩＰアドレステーブルに基づいて通話相手選択肢を名前で表示することにより、訪問者はメモ等を見て担当者の内線番号を確認する必要がなく、さらに、担当者の席が変わっても、訪問者はそれを全く考慮することなく、当該担当者と通話することができるという利点がある。
【００４０】
（Ｓ３）画面５０Ａ又は画面５０Ｂにおいて、選択後に呼出ボタン５２が押圧されていなければステップＳ４へ進み、押圧されていればステップＳ５へ進む。
【００４１】
（Ｓ４）メモ録ボタン５３が押圧されなけていなければステップＳ２へ戻り、押圧されていればステップＳ５Ａへ進む。
【００４２】
（Ｓ５）ＲＡＭ３８に書き込まれているＩＰアドレステーブルを参照して、選択されたもののプライベートＩＰアドレスを宛先アドレスとして読み出す。
【００４３】
問い合わせのパケットに対するアンサーバックの有無により、宛先アドレスのコンピュータの電源がオンになっているかどうかを確認し、オンであればステップＳ６へ進み、オフであれば対応する受付又は名前の表示色を元に戻して非選択にし、その旨を表示してステップＳ２へ戻る。
【００４４】
（Ｓ６）パーソナルコンピュータ１４〜２２にインストールされた、上記スタンバイ状態のインターホンプログラムは、パケットのヘッダに含まれる宛先ＩＰアドレスが自己のＩＰアドレスと一致し、かつ、送信元ＩＰアドレスがインターホン３０のＩＰアドレスと一致するかどうかを判定している。これらが一致すると判定すると、スタンバイ状態が解除されてインターホンプログラムの本体が実行され、これによりインターホン３０との間で通話が行われる。
【００４５】
通話においては、マイク４４又は４４Ａから入力された音声信号がデジタル値に変換され、例えばＭＰＥＧ４に従って、符号化され圧縮されパケット化される。また、通話中に、ＣＣＤカメラ３２の画像が符号化され圧縮されパケット化され、音声データのパケットとパケット多重化される。多重化されたパケットは、ＬＡＮアダプタ３６又は３６Ａを介して送出される。ＬＡＮアダプタ３６又は３６Ａを介して受け取ったパケットは、アンパケット化され伸長され復号され、音声データはアナログ値に変換されてスピーカ４３又は４３Ａから出力され、インターホン３０からの画像データは、宛先のパーソナルコンピュータのＬＣＤパネルに表示される。
【００４６】
（Ｓ７、Ｓ８）通話処理中に無音声が設定時間以上継続し又はインターホンオン／オフスイッチ４５が押された場合には、ステップＳ９へ進み、そうでなければステップＳ６へ戻る。
【００４７】
（Ｓ９）図５Ｂ又は図５Ｃの表示を初期表示（ガイド表示又は非表示）に戻し、スタンバイ状態に戻る。
【００４８】
（Ｓ５Ａ）ステップＳ４でメモ録ボタン５３が押圧されていれば、パーソナルコンピュータ１６に対し、訪問者により選択された宛先のデータ及び音声データをハードディスク４９に格納するためのプログラムを起動させ、該宛先データをパーソナルコンピュータ１６に送信する。
【００４９】
（Ｓ６Ａ）マイク４４から入力された音声信号がデジタル値に変換され、符号化され圧縮されパケット化される。そのパケットは、ＬＡＮアダプタ３６を介して送出される。
【００５０】
パーソナルコンピュータ１６は、受け取ったパケットデータをアンパケット化し、ハードディスク４９に格納（メモ録）する。
【００５１】
このような処理により、面談相手が存在しなくても受付係や他の社員を介さずに伝言を残すことができる。
【００５２】
なお、メモ録の際のカメラ画像もハードディスク４９に格納するように構成してもよい。
【００５３】
（Ｓ７Ａ、Ｓ８Ａ）通話処理中に無音声が設定時間以上継続し又はインターホンオン／オフスイッチ４５が押された場合には、上記ステップＳ９へ進み、そうでなければステップＳ６Ａへ戻る。
【００５４】
図６は、図２のＲＯＭ３７に格納されたセキュリティ確保用プログラムの内容を示す概略フローチャートである。
【００５５】
このプログラムは、振動センサ３４が設定値以上の振動を検出したときにＣＰＵ３５に割り込みがかかって起動される。この設定値は、本実施例では簡単化のために振動センサ３４側で設定される。
【００５６】
なお、インターホン３０とＣＣＤカメラ３２の組み合わせがネットワークカメラサーバーとして機能するように、インターホン３０のＲＯＭ３７にサーバープログラムが格納されており、外部からブラウザでインターホン３０をアドレス指定すると、インターホン３０はこれに応答して、ＣＣＤカメラ３２の画像を、ルータ２６を介して送信し、このブラウザのウインドに該画像が表示される。
【００５７】
（Ｓ１１）ドア２７の鍵が開いていることを鍵開閉検出器３３の出力が示している場合には、割り込み処理を終了し、そうでなければステップＳ１２へ進む。
【００５８】
（Ｓ１２）異常電子メールアドレスへ異常メールが、ルータ２６及びインターネットを介して自動送信される。この異常電子メールアドレスは、ドア２７の鍵を閉じたときにＣＰＵ３５に割り込みがかかってハードディスク４９に格納されている異常電子メールアドレスが読み出されＲＡＭ３８に書き込まれたものである。異常メール受信者のコンピュータは、例えばＰＤＡであり、常時オンにされていて、メール受信プログラムがスタンバイ状態で定期的にメールをチェックしており、そのメールの送信元がインターホン３０であると判定すると、アラームを鳴らしてメール受信者に報知するとともに、ブラウザを起動しインターホン３０のアドレスを指定してインターネットを介しＣＣＤカメラ３２の画像を受信する。
【００５９】
（Ｓ１５）ＣＣＤカメラ３２の画像を設定時間だけパーソナルコンピュータ１６のハードディスク４９に格納させる。
【００６０】
このような処理により、ドア２７の鍵をかけて退社すると自動的にセキュリティ管理が行われ、また、異常発生時のみ所定時間録画が行われるので異常発生時点の録画位置を調べる必要が無く容易に確認できるという利点がある。さらに、異常メール受信に応答してＣＣＤカメラ３２の画像を直ちに見ることができるので、異常を直ちに確認でき、適切に対処することが可能になるという利点がある。しかも、セキュリティ管理システムを安価に構成することができるという利点がある。
【実施例２】
【００６１】
上記実施例１では、訪問者が相手先の任意の社員を指定して通話できるので、売り込み等の無関係な訪問者と対応しなければならない場合、各社員の仕事が妨げられる虞がある。
【００６２】
そこで、この問題を解決するために、本発明の実施例２では、訪問者毎にあらかじめ許可した社員のなかからのみ選択して通話するように構成している。
【００６３】
パーソナルコンピュータ１６のハードディスク４９には、図８Ａに示すようなテーブルがあらかじめ格納されている。このテーブルは、訪問予定者のＩＤ、会社名、氏名及び許可フラグ列のフィールドを有する。許可フラグ列の各ビットは、図１に示すパーソナルコンピュータ１４〜２２の対応するものとの通話を許可するかどうかを示しており、たとえばＩＤ＝３１７２５４の訪問予定者がパーソナルコンピュータ１６又は２１に対してのみ通話可能にする場合、許可フラグ列は‘０００１００００１０’となる。
【００６４】
本発明の実施例２では、図４のステップＳ２〜Ｓ４の替わりに図７に示す処理が実行される。
【００６５】
（Ｓ２１）図８Ｂに示すような画面５０Ｃをインターホン３０のＬＣＤパネル３９に表示させる。画面５０Ｃには、受付選択ボタン５６、入力ボックス５７、入力キー５８、エントリキー５９、呼出ボタン５２及びメモ録ボタン５３が表示されている。受付選択ボタン５６は、ＩＤが登録されていない訪問者でも受付係と通話可能にするためのものである。ＩＤが付与された訪問者は、入力キー５８を操作して入力ボックス５７に自己のＩＤを入力し、エントリキー５９を押圧して入力ＩＤを確定させる。入力キー５８の「Ｃ」はクリアキーである。
【００６６】
（Ｓ２２〜Ｓ２４）受付選択ボタン５６が押圧されて選択され、ついで呼出ボタン５２が押圧されてオンになると、図４のステップＳ５へ進む。
【００６７】
（Ｓ２２、Ｓ２５）エントリキー５９が押圧されると、入力ボックス５７の入力値を読み込み、これが図８Ａのテーブル中のＩＤと一致するものが存在するかどうかを順次調べ、一致するものがなければステップＳ２１へ戻り、そうでなければステップＳ２６へ進む。
【００６８】
（Ｓ２６）ＩＤが一致するレコードの許可フラグ列を読み出し、これに基づいて、パーソナルコンピュータ１４〜２２のうち通話が許可されるコンピュータに対応した社員名のリストを作成する。
【００６９】
（Ｓ２７）図８Ｃに示すような画面５０Ｄを表示させる。画面５０Ｄ中の選択ボタン列６０は、作成されたリストを表示したものである。訪問者は、このリスト中の１人又は複数人を通話相手として選択する。
【００７０】
（Ｓ３、Ｓ４）呼出ボタン５２が押圧された場合には図４のステップＳ５へ進み、メモ録ボタン５３が押圧された場合には図４のＳ５Ａへ進み、いずれも押圧されていない場合にはステップＳ２７へ戻る。
【００７１】
このような処理により、訪問者は、あらかじめ許可された社員との間でのみインターホンで通話することができる。
【００７２】
これにより、受付係が訪問者と担当者との間を中継ぎすることなく、訪問者は担当者と直接通話することができるとともに、訪問者毎に許可された社員名のみ選択肢として表示されるので、訪問者は選択が容易であり、被訪問者は無用なセールスにより仕事が妨害されるのを阻止でき、しかも、社内構成の秘密が保たれるという利点を有する。
【００７３】
ＩＤが不正使用された場合には、訪問者と対応したものがすぐ判るので、不正使用が防止されるとともに不正使用に対処することができる。
【００７４】
なお、不審者によるＩＤ不正使用に対処するため、エントリキー５９が押圧されてから、ＣＣＤカメラ３２の画像をＲＡＭ３８に一時記録するのを開始し、エントリキー５９を押圧したにもかかわらず設定時間内に呼出ボタン５２又はメモ録ボタン５３が押圧されない場合には、一時記録された画像をパーソナルコンピュータ１６に送信して保存するとともに、アラームを鳴らすようにしてもよい。
【００７５】
また、ＩＰアドレステーブルに、各コンピュータのプライベートＩＰアドレス及び社員名のみならず備考欄も設けておき、退社などで担当者が交替した場合にはその旨を備考欄に記述しておき、これを図８Ｂの画面５０Ｄに表示させ、交替した担当者名を選択ボタン列６０に表示させるようにしてもよい。このようにすれば、受付係の仕事量がさらに軽減され、また、交替した担当者に関係した訪問者のみに担当者交替情報が示されるので、社内構成変更の秘密が保たれるという利点がある。
【実施例３】
【００７６】
図９は、本発明の実施例３における会社内のコンピュータネットワークシステムを示す概略図である。図１と同一構成要素には、同一符号を付してその説明を省略する。
【００７７】
この実施例３では、図１のインターホン３０の代わりに、パーソナルコンピュータ１６と同様のパーソナルコンピュータ３０Ａが、室１０内の訪問者受付エリアに配置されている。パーソナルコンピュータ３０Ａのハードディスクには、図１のインターホン３０にインストールされているプログラムと同様のプログラムがインストールされている。
【００７８】
したがって、訪問者がドア２７を開けてパーソナルコンピュータ３０Ａを操作することにより、上記実施例１又は実施例２と同様の通話が行われる。
【００７９】
この場合、上述のＩＰアドレステーブル及び異常電子メールアドレスは、パーソナルコンピュータ１６のハードディスク４９に格納するかわりにパーソナルコンピュータ３０Ａのハードディスク４９に格納することもできる。また、パーソナルコンピュータ３０Ａが室１０内に配置されているので、ドア２７の鍵を閉じた後にパーソナルコンピュータ３０Ａが破壊されるのを防止することができる。
【００８０】
なお、図１の構成においてインターホン３０の破壊を防止するには、ドア２７の鍵を閉じて退社する際に、不図示のカバーでインターホン３０を覆って鍵をかけ、このカバーに防犯センサを取り付けてその出力をインターホン３０に供給し、振動センサ３４の出力の場合と同様に処理することにより対処することができる。
【実施例４】
【００８１】
以上の実施例では、訪問者用インターホンがケーブルでＬＡＮに接続されている場合を説明したが、本発明は図１０に示すように、無線でＬＡＮに接続された構成であってもよい。
【００８２】
図１０では、図９のパーソナルコンピュータ３０Ａの替わりに、無線ＬＡＮカード６１を備えたサーバーコンピュータ３０Ｂが配置され、ＩＰ携帯電話６２が無線ＬＡＮカード６１を介してサーバーコンピュータ３０Ｂにアクセス可能となっている。ＩＰ携帯電話６２は、室１０内に配置してもよく、室１０の外壁に鎖を介して取り付けてもよく、或いは、訪問者所有のものであってもよい。
【００８３】
ＩＰ携帯電話６２で起動されたブラウザにおいてサーバーコンピュータ３０Ｂをアドレス指定すると、サーバーコンピュータ３０Ｂはこれに応答して図５Ｂ又は図８Ｂに類似の画面（ＩＰ携帯電話６２に備えられたキーを操作して同じ選択及び入力ができる画面）を表示させるファイルをＩＰ携帯電話６２に送信する。これにより、この画面が該ブラウザで表示される。ＩＰ携帯電話６２において、例えば「受付」を選択しさらに呼出ボタン５２に相当するキーを押すと、「受付」が選択されたことを示すデータがサーバーコンピュータ３０Ｂに送信される。サーバーコンピュータ３０Ｂはこれに応答して、受付係用のパーソナルコンピュータ１６とＩＰ携帯電話６２との間での通話を開始させる。通話データは、サーバーコンピュータ３０Ｂを介して送受信される。
【００８４】
他の点は、上記実施例１又は２の記載から容易に理解できるので、その説明を省略する。
【００８５】
なお、本発明には外にも種々の変形例が含まれる。
【００８６】
例えば、図５Ａのテーブルの替わりに、ツリー状リスト構造でアドレス情報を記述してもよい。また、図５Ｂの表示の替わりに、部課構成をツリーで表してもよい。
【００８７】
図８Ａの許可テーブルの許可フラグは、社員（コンピュータ）毎ではなく部又は課などのグループ単位で許可／禁止を示すフラグであっても、グループ単位の許可とグループ構成員の許可とを組み合わせたものであってもよい。
【００８８】
防犯センサとしての振動センサ３４は、窓などに取り付けてもよい。防犯センサとしては、赤外線又は超音波を用いた人感センサや、カメラ画像を処理してパターン認識する装置などを用いることができる。
【００８９】
また、防犯センサの出力と鍵開閉検出器３３の出力との論理積をコンピュータに入力する構成にして、図６のステップＳ１１の処理を省略してもよい。
【００９０】
実施例２において、訪問予定者識別コードは、ＩＤの替わりに会社名などの団体名を用いたり、団体名と社員名の組み合わせを用いたり、ＩＤとパスワードを用いたものであってもよい。訪問予定者識別コードは、訪問予定者の業種などのグループを識別するコードであってもよい。
【００９１】
ＩＰアドレステーブル、許可テーブル及び異常電子メールアドレスは、ＬＡＮに接続されたいずれのコンピュータに格納してもよい。
【００９２】
ＬＡＮは音声信号送信遅延時間短縮のためピアツーピア接続型が好ましいが、クライアント／サーバ接続型であってもよい。また、プロキシサーバを備えた構成であってもよい。
【００９３】
コンピュータ間は無線ＬＡＮで接続されていてもよい。この場合、実施例４において、サーバーコンピュータ３０ＢとＩＰ携帯電話６２との間の初期通信によりＩＰ携帯電話６２で選択された社員のコンピュータのＩＰアドレスをサーバーコンピュータ３０ＢからＩＰ携帯電話６２に送信し、ＩＰ携帯電話６２がこのＩＰアドレスのコンピュータと通信して通話する構成であってもよい。また、基地局及びインターネットを介してＩＰ携帯電話６２とサーバーコンピュータ３０Ｂとの間で初期通信する構成であってもよい。この場合、訪問とは無関係なＩＰ電話（ＩＰ携帯電話を含む。）に適用でき、パーソナルコンピュータ１４〜２２はＩＰ電話であってもよい。この場合、ＩＰアドレスの替わりに電話番号を用いることができる。
【００９４】
さらに、上記実施例本では小規模会社に本発明を適用した場合を説明したが、本発明は会社や団体、集団などの規模によらず適用可能であることは勿論である。
【００９５】
以上の説明から明らかなように、本発明には次の付記項が含まれる。
【００９６】
（付記項１）
プロセッサと、
該プロセッサに結合された記憶装置と、
を有するサーバコンピュータにおいて、該記憶装置には
固定ＩＰアドレス又は電話番号と名前とが対応して記述されたアドレス情報と、
ＩＰ携帯電話を操作して選択された名前に対応した固定ＩＰアドレス又は電話番号を該ＩＰ携帯電話の通話先アドレスとさせるために、該プロセッサに対し、該ＩＰ携帯電話により自己がアドレス指定されたことに応答して該アドレス情報に記載されている名前の一部又は全部を該ＩＰ携帯電話の表示部に表示させて通話相手の名前の選択を促すためのデータを該ＩＰ携帯電話に送信させるプログラムと、
が格納されていることを特徴とするサーバコンピュータ。
【００９７】
（付記項２）
該記憶装置にはさらに、少なくとも該ＩＰ携帯電話を使用する者の識別コードと呼出許可情報とが対応して記述された訪問予定者別呼出許可情報が格納されており、
該プログラムは該プロセッサに対し、入力された識別コードと一致する識別コードが該訪問予定者別呼出許可情報に存在すれば、該呼出許可情報に基づいて、該ＩＰアドレス情報から呼出が許可される名前を抽出させ、抽出した名前を該ＩＰ携帯電話の表示部に表示させて通話相手の名前の選択を促すためのデータを該ＩＰ携帯電話に送信させる、
ことを特徴とする付記項１記載のサーバコンピュータ。
【図面の簡単な説明】
【００９８】
【図１】本発明の実施例１における会社内のコンピュータネットワークシステムを示す概略図である。
【図２】図１中のインターホン３０の概略構成を示すブロック図である。
【図３】図１中のパーソナルコンピュータ１６の概略構成を示すブロック図である。
【図４】図２のＲＯＭ３７に格納されたインターホン用プログラムの概略フローチャートである。
【図５Ａ】ＩＰアドレステーブルの構成を示す図である。
【図５Ｂ】図４のステップＳ２の説明図である。
【図５Ｃ】図４のステップＳ２の説明図である。
【図６】図２のＲＯＭ３７に格納されたセキュリティ確保用プログラムの内容を示す概略フローチャートである。
【図７】本発明の実施例２の特徴部分を示インターホン用プログラムの概略フローチャートである。
【図８Ａ】訪問予定者毎の許可フラグが格納されたテーブルの構成を示す図である。
【図８Ｂ】図７のステップＳ２１の説明図である。
【図８Ｃ】図７のステップＳ２７の説明図である。
【図９】本発明の実施例３における会社内のコンピュータネットワークシステムを示す概略図である。
【図１０】本発明の実施例４における会社内のコンピュータネットワークシステムを示す概略図である。
【図１１】ＬＡＮを備えた小規模企業における従来の訪問者受付業務説明図である。
【符号の説明】
【００９９】
１４〜２２、３０Ａ    パーソナルコンピュータ
２３〜２５    ハブ
２６    ルータ
２７    ドア
２８、２９、３０    インターホン
３０Ｂ    サーバーコンピュータ
３１    ＬＡＮケーブル
３２    ＣＣＤカメラ
３３    鍵開閉検出器
３４    振動センサ
４１、４２、４６    インタフェース
４５    インターホンオン／オフスイッチ
５１、５４、６０    選択ボタン列
５２    呼出ボタン
５３    メモ録ボタン
５６    受付選択ボタン
５７    入力ボックス
６１    サーバーコンピュータ
６２    ＩＰ携帯電話
【図１】
0003649725.tif 000002
【図２】
0003649725.tif 000003
【図３】
0003649725.tif 000004
【図４】
0003649725.tif 000005
【図５Ａ】
0003649725.tif 000006
【図５Ｂ】
0003649725.tif 000007
【図５Ｃ】
0003649725.tif 000008
【図６】
0003649725.tif 000009
【図７】
0003649725.tif 000010
【図８Ａ】
0003649725.tif 000011
【図８Ｂ】
0003649725.tif 000012
【図８Ｃ】
0003649725.tif 000013
【図９】
0003649725.tif 000014
【図１０】
0003649725.tif 000015
【図１１】
0003649725.tif 000016